(57)【要約】【課題】外部機器での映像の再生を適切なタイミングで開始させる。【解決手段】ケーブル１２０を介して接続された映像供給装置１１０から映像信号を受信して、該映像信号に基づいて生成した画像を投射する画像投射装置１であって、映像供給装置１１０から所定の電圧信号（５Ｖ信号）の入力を検知したときに、画像投射装置１のステータスを確認するステータス確認手段３０と、画像投射装置１がスタンバイ状態である場合に、画像投射装置１の光源を駆動させる起動手段（主制御部起動手段３２、主制御部２４）と、光源の駆動とともに、映像供給装置１１０に対して、映像コンテンツの再生開始命令を送信する再生開始命令送信手段３１と、を備える。【選択図】図７
2017090662.tif 000002
【特許請求の範囲】
【請求項１】
通信インタフェースを介して接続された映像供給装置から映像信号を受信して、該映像信号に基づいて生成した画像を投射する画像投射装置であって、
前記映像供給装置から所定の電圧信号の入力を検知したときに、該画像投射装置のステータスを確認するステータス確認手段と、
該画像投射装置がスタンバイ状態である場合に、該画像投射装置の光源を駆動させる起動手段と、
前記光源の駆動とともに、前記映像供給装置に対して、映像コンテンツの再生開始命令を送信する再生開始命令送信手段と、を備えることを特徴とする画像投射装置。
【請求項２】
前記ステータス確認手段は、前記映像供給装置から前記電圧信号の入力を検知したときに、前記映像供給装置のステータスを確認し、
前記再生開始命令送信手段は、前記映像供給装置において前記映像信号の出力が可能な状態である場合に、前記再生開始命令を送信することを特徴とする請求項１に記載の画像投射装置。
【請求項３】
前記再生開始命令は、前記映像コンテンツが記録された記録媒体の読み込み後の再生動作開始直前において一時停止する命令を含む第１再生開始命令であって、
前記再生開始命令送信手段は、前記第１再生開始命令の送信後、所定のタイミングにおいて、前記映像コンテンツの再生動作を開始する第２再生開始命令を送信することを特徴とする請求項１または２に記載の画像投射装置。
【請求項４】
該画像投射装置が投射した投影画像を撮像する撮像部を備え、
前記撮像部が撮像した撮像データに基づいて、前記投影画像が所定の明るさ以上となっている場合に、前記再生開始命令送信手段は前記第２再生開始命令を送信することを特徴とする請求項３に記載の画像投射装置。
【請求項５】
前記ステータス確認手段により該画像投射装置がすでに電源オン状態であることが確認された場合は、前記第１再生開始命令を送信せずに、前記第２再生開始命令を送信することを特徴とする請求項３または４に記載の画像投射装置。
【請求項６】
前記映像供給装置から前記電圧信号の入力を検知したときに、前記映像供給装置に対し、前記映像信号を出力可能な状態へ移行させるための電源オン信号を出力する電源オン信号出力手段を備えることを特徴とする請求項１に記載の画像投射装置。
【請求項７】
前記通信インタフェースは、ＨＤＭＩ（High  Definition  Multimedia  Interface）であることを特徴とする請求項１から６までのいずれかに記載の画像投射装置。
【請求項８】
請求項１から７までのいずれかに記載の画像投射装置と、
前記映像供給装置と、
を前記通信インタフェースを介して接続してなることを特徴とする画像投射システム。
【請求項９】
通信インタフェースを介して接続された映像供給装置から映像信号を受信して、該映像信号に基づいて生成した画像を投射する画像投射装置の制御方法であって、
前記映像供給装置から所定の電圧信号の入力を検知したときに、該画像投射装置のステータスを確認するステータス確認処理と、
該画像投射装置がスタンバイ状態である場合に、該画像投射装置の光源を駆動させる起動処理と、
前記光源の駆動とともに、前記映像供給装置に対して、映像コンテンツの再生開始命令を送信する再生開始命令送信処理と、
を行うようにしたことを特徴とする画像投射装置の制御方法。
【発明の詳細な説明】
【技術分野】
【０００１】
本発明は、画像投射装置、画像投射システムおよび画像投射装置の制御方法に関する。
【背景技術】
【０００２】
デジタル放送受信機能を有するテレビや、放送を録画、再生する機能を有する録画再生装置などのＡＶ（Audio  Visual）機器の分野においては、画像／映像信号（以下、映像信号という）を出力する映像供給装置（外部機器、ソース機ともいう）と、映像信号が入力され、これを表示する映像表示装置（シンク機ともいう）とを、所定の通信インタフェース、例えば、ＨＤＭＩ（登録商標）（High  Definition  Multimedia  Interface）やＤｉｓｐｌａｙＰｏｒｔ規格のケーブル（ＨＤＭＩケーブル、ＤｉｓｐｌａｙＰｏｒｔケーブル）によって接続することが主流となっている。
【０００３】
また、プロジェクタなどの投射型映像表示装置（以下、画像投射装置という）から投射（投影）、出力する映像を、録画再生装置や、パーソナルコンピュータなどの情報処理装置から送信する場合も、ＨＤＭＩ規格が広く採用されており、この場合、録画再生装置や情報処理装置がソース機、画像投射装置がシンク機となる。
【０００４】
ここで、画像投射装置がスタンバイ状態であって、外部機器とケーブルで接続されており、この状態で映像信号を受信したり、所定の電源（例えば、５Ｖ電圧信号）が供給されたりすると、画像投射装置側でその変化を検知して、スタンバイ状態から電源オン状態となる技術が知られている。画像投射装置は、電源オン状態となると、ランプなどの光源をオンとして、スクリーンなどの被投射面に映像が投射されることとなる。
【０００５】
また、特許文献１には、外部機器から映像信号の入力開始を予告する制御情報を入力した時点で投影系が投影可能な状態であるか否かを判断し、投影可能な状態ではないと判断した場合、投影系が投影可能な状態となるまで待機させ、投影可能な状態となった時点で外部機器に対して映像信号の出力を要求する画像出力装置が開示されている。この特許文献１では、プロジェクタのランプが点灯していない場合は、外部機器側にその情報を伝えることで、映像再生を行わないようにするものである。
【発明の概要】
【発明が解決しようとする課題】
【０００６】
ここで、上述のように画像投射装置が外部機器を検知してからスタンバイ状態から電源オン状態となり、ランプなどの光源をオンとしても、外部機器に記録され画像投射装置から投射したい映像（以下、映像コンテンツともいう）の再生操作がされてなければ、映像コンテンツは再生されず、ユーザは外部機器に対して、再生ボタンを押すなどの操作をしなければならない。特許文献１に記載の技術でも、外部機器側の再生制御はユーザが行う必要があった。
【０００７】
また、再生ボタンを押したとしても、映像コンテンツが記録されたメディアの読み込み等には時間がかかるため、再生ボタンを押した後、実際に再生されるまでには時間がかる。このため、外部機器側の再生ボタンを押した後、その間に、ケーブルを差して、画像投射装置を電源オン状態にすることも考えられるが、この場合、投影画像が十分に明るくなる前に映像が再生され、視聴可能となったときには、すでに進んでしまっている可能性がある。
【０００８】
そこで本発明は、外部機器での映像の再生を適切なタイミングで開始させることができる画像投射装置を提供することを目的とする。
【課題を解決するための手段】
【０００９】
かかる目的を達成するため、本発明に係る画像投射装置は、通信インタフェースを介して接続された映像供給装置から映像信号を受信して、該映像信号に基づいて生成した画像を投射する画像投射装置であって、前記映像供給装置から所定の電圧信号の入力を検知したときに、該画像投射装置のステータスを確認するステータス確認手段と、該画像投射装置がスタンバイ状態である場合に、該画像投射装置の光源を駆動させる起動手段と、前記光源の駆動とともに、前記映像供給装置に対して、映像コンテンツの再生開始命令を送信する再生開始命令送信手段と、を備えるものである。
【発明の効果】
【００１０】
本発明によれば、外部機器での映像の再生を適切なタイミングで開始させることができることができる。
【図面の簡単な説明】
【００１１】
【図１】画像投射システムの一例を示す概略構成図である。
【図２】本発明に係る画像投射装置の一実施形態を示す外観斜視図である。
【図３】画像投射装置の側面図であって、被投射面への投射状態を示した図である。
【図４】（Ａ）画像投射装置の外装カバーを外した状態を示す斜視図、（Ｂ）（Ａ）の丸囲み部分の拡大構成図である。
【図５】照明ユニット、投射ユニット、画像表示素子ユニット、および光源ユニットの断面図である。
【図６】画像投射装置の機能ブロック図である。
【図７】副制御部、主制御部およびＨＤＭＩケーブル内の信号ラインの説明図である。
【図８】画像投射システムが実行する自動再生処理の一例を示すフローチャートである。
【発明を実施するための形態】
【００１２】
以下、本発明に係る構成を図１から図８に示す実施の形態に基づいて詳細に説明する。
【００１３】
本実施形態に係る画像投射装置は、通信インタフェース（ケーブル１２０）を介して接続された映像供給装置（映像供給装置１１０）から映像信号を受信して、該映像信号に基づいて生成した画像を投射する画像投射装置（画像投射装置１）であって、映像供給装置から所定の電圧信号（５Ｖ信号）の入力を検知したときに、該画像投射装置のステータスを確認するステータス確認手段（ステータス確認手段３０）と、該画像投射装置がスタンバイ状態である場合に、該画像投射装置の光源（ランプ１５）を駆動させる起動手段（主制御部起動手段３２、主制御部２４）と、光源の駆動とともに、映像供給装置に対して、映像コンテンツの再生開始命令を送信する再生開始命令送信手段（再生開始命令送信手段３１）と、を備えるものである。なお、括弧内は実施形態での符号、適用例を示す。
【００１４】
［画像投射システム］
図１は、画像投射システム１００の一例を示す概略構成図である。画像投射システム１００は、画像投射装置（プロジェクタ）１と、映像信号を供給する映像供給装置１１０と、を含んで構成されており、画像投射装置１と映像供給装置１１０とは、ケーブル１２０によって接続されている。なお、映像信号には静止画表示のための画像信号も含まれる。
【００１５】
画像投射装置１は、映像供給装置１１０が提供する映像データを基に映像を生成し、スクリーン１３０等の被投射面に投射するプロジェクタである。図１では、スクリーン１３０上に画像投射装置１から投影画像１４０が投射されている。
【００１６】
画像投射装置１は、映像信号を入力する通信インタフェースとして、ＨＤＭＩ（High-Definition  Multimedia  Interface）（登録商標）端子、ＤｉｓｐｌａｙＰｏｒｔ端子、Ｔｈｕｎｄｅｒｂｏｌｔ端子、ＶＧＡ（Video  Graphics  Array）入力端子、Ｓ−ＶＩＤＥＯ端子、ＲＣＡ端子等の画像入力端子を備えている。また、画像投射装置１は、複数の画像入力端子を備えていることが好ましい。画像入力端子に接続されたケーブル１２０を介して映像供給装置１１０から映像信号を受信する。ケーブル１２０は、例えば、ＨＤＭＩケーブルである。
【００１７】
また、画像投射装置１は、Ｂｌｕｅｔｏｏｔｈ（登録商標）やＷｉＦｉ（登録商標）等の無線通信プロトコルに準拠した無線通信により、映像供給装置１１０から映像信号を受信してもよい。
【００１８】
映像供給装置１１０は、画像投射装置１が投射すべき画像を提供する装置である。映像供給装置１１０は、映像信号を出力するインタフェースを備えており、映像供給装置１１０の表示画像を形成する映像信号を所定の転送レート（例えば、３０ｆｐｓ（frame  per  second）〜６０ｆｐｓ）で画像投射装置１に送信する。
【００１９】
映像供給装置１１０も同様に、映像信号を出力するインタフェースとして、ＨＤＭＩ端子、ＤｉｓｐｌａｙＰｏｒｔ端子、Ｔｈｕｎｄｅｒｂｏｌｔ端子、ＶＧＡ入力端子、Ｓ−ＶＩＤＥＯ端子、ＲＣＡ端子等の画像出力端子を備えており、これらの端子に接続されたケーブル１２０を介して画像投射装置１に送信することができる。また、映像供給装置１１０は、無線通信により、画像投射装置１に映像信号を送信してもよい。
【００２０】
映像供給装置１１０としては、例えば、ノート型ＰＣ、デスクトップ型ＰＣやタブレット型ＰＣ、ＰＤＡ等の映像信号を供給可能な情報処理装置や、ＤＶＤプレーヤー、ブルーレイプレーヤー等の録画再生装置を用いることができる。なお、図１に示す例では、画像投射装置１に１つの映像供給装置１１０が接続されているが、画像投射装置１に複数の映像供給装置１１０を接続するものであってもよい。
【００２１】
［画像投射装置］
図２は、画像投射装置１の一実施形態を示す外観斜視図である。また、図３は、画像投射装置１の側面図であって、被投射面であるスクリーン１３０への投射状態を示した図である。
【００２２】
画像投射装置１は、装置内部に光源としてのランプや多数の電子基板を備えており、起動時には、装置の内部温度が上昇する。このため、画像投射装置１には、内部の構成部品が耐熱温度を超えないように、吸気口１１および排気口１２が設けられている。
【００２３】
図４（Ａ）は、画像投射装置１の外装カバー２を外した状態を示す斜視図である。また、図４（Ｂ）は図４（Ａ）の丸囲み部分で示す光学エンジン３と光源ユニット４の拡大構成図である。図４に示すように、画像投射装置１は、光学エンジン３および光源ユニット４を備えている。また、図５は、照明装置である照明ユニット３ａ（照明光学系）、投射ユニット３ｂ（投射光学系）、画像表示素子ユニット１０、および光源ユニット４の上面から見た断面図である。光学エンジン３は、照明ユニット３ａおよび投射ユニット３ｂからなる。
【００２４】
図４に示すように、吸気口１１、排気口１２の内側には、それぞれ吸気ファン１３、排気ファン１４が設けられており、吸気ファン１３から吸入した外気を排気ファン１４から排出することで、装置内の強制気流による空冷がなされる。
【００２５】
画像投射装置１においては、光源ユニット４の光源からの光（白色光）が光学エンジン３の照明ユニット３ａに照射される。照明ユニット３ａ内では、照射された白色光をＲＧＢに分光した後、レンズ、ミラー等により画像表示素子ユニット１０へ導き、変調信号に応じて画像形成する画像表示素子ユニット１０とその画像を投射ユニット３ｂによりスクリーン１３０へ拡大投射する構成となっている。
【００２６】
光源ユニット４の光源であるランプ１５としては、種々のランプを用いることができるが、例えば、高圧水銀ランプ、キセノンランプなどのアークランプを用いることができる。例えば、高圧水銀ランプを用いることが好ましい。
【００２７】
また、光源ユニット４の側面の一方向側には光源冷却手段としての１つの冷却ファン１６が設けられている。冷却ファン１６は、光源ユニット４の各部が設定された定格温度範囲内の温度となるように、その回転数が制御される。また、光源ユニット４からの光の出射方向と投射ユニット３ｂからの画像光の出射方向は、図５に示すように、略９０°の関係となっている。
【００２８】
また、光学エンジン３の照明ユニット３ａは、光源から照射された光を分光するカラーホイール５（回転色フィルター）と、カラーホイール５から出射した光を導くライトトンネル６と、リレーレンズ７、平面ミラー８および凹面ミラー９と、を備えている。また、照明ユニット３ａ内には、画像表示素子ユニット１０が設けられる。
【００２９】
照明ユニット３ａでは、先ず、光源からの出射光である白色光が、円盤状のカラーホイール５で単位時間毎にＲＧＢの各色が繰り返す光に変換され出射される。カラーホイール５から出射された色分離された光は、ライトトンネル６に導かれる。ライトトンネル６は、入射された光がその内部（内壁）で複数回反射され合成されることで均一化する照明均一変換光学部材である。
【００３０】
次いで、ライトトンネル６から出射された光は、２枚のレンズを組み合わせてなるリレーレンズ７により、光の軸上色収差を補正しつつ集光される。また、リレーレンズ７から出射される光は、平面ミラー８および凹面ミラー９によって反射されて、画像表示素子ユニット１０に集光される。画像表示素子ユニット１０は、複数のマイクロミラーからなる略矩形のミラー面を有し、画像データに基づいて各マイクロミラーが時分割駆動されることにより、所定の画像を形成するように投射光を加工して反射する画像表示素子（光変調素子）としてのＤＭＤ素子１０ａを備えている。
【００３１】
画像表示素子ユニット１０は、入力信号に応じてマイクロミラーのオンオフを切り替えることで投射ユニットへ光を出力する光を選別するとともに階調を表現する。すなわち、ＤＭＤ素子１０ａにより、時分割で画像データに基づいて、複数のマイクロミラーが使用する光は投射レンズへ反射され、捨てる光はＯＦＦ光板へ反射される。画像表示素子ユニット１０で使用する光は投射ユニット３ｂへ反射し、投射ユニット３ｂ内の複数の投射レンズを通り拡大された画像光はスクリーン１３０上へ拡大投射される。
【００３２】
図６に画像投射装置１の機能ブロック図を示す。画像投射装置１は、画像入力端子２１と、映像処理部２２と、スケール処理部２３と、主制御部２４（メイン）と、メモリ２５と、操作部２６と、ドライブ回路２７と、副制御部２８（サブ）、撮像部２９、画像表示素子ユニット１０と、ランプ１５と、投射ユニット３ｂ等を備えている。
【００３３】
画像入力端子２１は、外部機器から映像信号が入力される映像信号入力部であって、本実施形態では、ＨＤＭＩ入力端子である。なお、他にＶＧＡ端子やビデオ端子などを備えている。
【００３４】
映像処理部２２は、画像入力端子２１から入力される外部機器からの映像信号を受け取り、当該映像信号にシリアル−パラレル変換や電圧レベル変換などの種々の処理を施して、スケール処理部２３が受け取ることができる映像信号（映像デジタル信号）に変換する。
【００３５】
スケール処理部２３には、映像処理部２２から出力される映像デジタル信号が入力される。スケール処理部２３は、映像信号のタイミングから縦と横の画素数を判定し、画像投射装置１の出力画素数のアスペクト比に対して入力映像が最適な表示になるようにスケーリングを行なう。
【００３６】
主制御部２４は、マイクロコントローラで構成され、ＣＰＵ（中央演算処理ユニット）、ＲＯＭ（リードオンリーメモリ）、ＲＡＭ（ランダムアクセスメモリ）などの演算回路および記憶回路を備えている。そして、主制御部２４は、画像投射装置１の全般的な制御を行うと共に、各種の設定及び比較を行うための制御を行う。
【００３７】
メモリ２５は、各種の画像処理プログラム、主制御部２４で設定した設定値等を記憶した記憶手段であって、主制御部２４は、メモリ２５に記憶された画像処理プログラム等に基づいて各種の処理を実行する。メモリ２５としては、例えば、ＥＰＲＯＭやＥＥＰＲＯＭ、フラッシュメモリ等の種々の不揮発性半導体メモリを採用することができ、電源オフ後も設定内容（言語設定など）が保存される。
【００３８】
操作部２６は、ユーザからの種々の操作要求を受け付けるものであり、画像投射装置１の外面に設けられるキーボタン（本体キー）、またはリモコン送信機のキー入力部等によって構成される。例えばプロジェクタの各種設定や選択を行うためのメニュー画面を表示させるメニューキーなどを備えている。
【００３９】
また、操作要求には、メニュー画面等のＯＳＤ画面の表示指示、投影している画像のアスペクト比の変更要求、画像投射装置１の電源ＯＦＦ要求、ランプ１５の光量を変更するランプパワー変更要求、などが含まれる。操作部２６は、操作要求を受け付けると、当該操作要求を主制御部２４に通知する。
【００４０】
ドライブ回路２７には、スケール処理部２３からスケーリングされた映像信号及びその同期信号が入力され、ドライブ回路２７は、画像表示素子ユニット１０の画像表示素子（ＤＭＤ素子１０ａ）を駆動する。画像表示素子ユニット１０にて、スケーリングされた映像を表示し、その映像によってランプ１５からの光を変調する。そして、画像表示素子ユニット１０からの映像光は、投射ユニット３ｂによりスクリーン１３０上に拡大投影される。
【００４１】
本実施形態では、外部機器である映像供給装置１１０と画像投射装置１とは、ＨＤＭＩケーブルで接続されるものとする。ＨＤＭＩケーブルにはＴＭＤＳ（Transition  Minimized  Differential  Signaling）チャネル、ＤＤＣ（Display  Data  Channel）ライン、ＣＥＣ（Consumer  Electronics  Control：家電制御）ライン、ＨＰＤ（Hot  Plug  Detect）ライン、５Ｖラインが用意されている。ここで、ＣＥＣラインは、機器間の連携動作を実現するためのＣＥＣ信号を通信するものであり、５Ｖラインは、外部機器が画像投射装置１に対して５Ｖ電源の供給するための５Ｖ信号を通信するものである。
【００４２】
外部機器から画像入力端子２１を介して入力されるＣＥＣ信号と５Ｖ信号は、副制御部２８に入力される。副制御部２８は、マイクロコントローラで構成され、ＨＤＭＩレシーバーとして機能する。副制御部２８において、外部機器との接続検知および画像投射装置１の起動制御等を行っている。
【００４３】
ここで、画像投射装置１は、待機時の消費電力を低減するために、スタンバイ状態では、副制御部２８以外は電源が供給されないようになっており、スタンバイ状態では副制御部２８が画像投射装置１を制御している。このように、スタンバイ状態では、副制御部２８は電源が供給された有効な状態であって、主制御部２４は電源が供給されない無効な状態となっている。主制御部２４が起動した状態を画像投射装置１の電源オン状態という。
【００４４】
図７は、画像投射システム１００における画像投射装置１と外部機器との接続状態での機能ブロック図であって、副制御部２８、主制御部２４の詳細およびＨＤＭＩケーブル１２０内の信号ラインの説明図である。
【００４５】
主制御部２４は、撮像部２９を制御する撮像制御部４０と、再生開始命令（第２再生開始命令（後述））を送信させる再生開始命令送信手段４１とを備えている。
【００４６】
撮像制御部４０には、撮像部２９が撮像したスクリーン１３０に投影された投影画像１４０の撮像データが送られる。なお、撮像部２９は、画像投射装置１が内部に備えるものであっても、撮像装置として画像投射装置１の外部に設けられるものであってもよい。撮像制御部４０では、撮像データが十分に明るいか否か（すなわち、投影画像１４０が視聴可能な状態であるか否か）を判断する。なお、撮像データは、他の用途でも用いることが好ましく、例えば、画像投射装置１の設置位置による画像歪みを検知するために用いてもよい。
【００４７】
再生開始命令送信手段４１は、副制御部２８からＣＥＣライン１２２を介して、映像供給装置１１０へ映像コンテンツの再生開始命令を送信させる。
【００４８】
副制御部２８は、ステータス確認手段３０と、再生開始命令送信手段３１、主制御部起動手段３２と、電源オン信号出力手段３３と、を備えている。
【００４９】
ステータス確認手段３０は、ＣＥＣライン１２２を介して、映像供給装置１１０へステータス確認信号を送信するとともに、ステータス確認信号への応答を受信して、映像供給装置１１０のステータスを確認する。
【００５０】
また、ステータス確認手段３０は、主制御部２４に対してステータス確認信号を送信して、画像投射装置１のステータスを確認する。
【００５１】
再生開始命令送信手段３１は、ＣＥＣライン１２２を介して、映像供給装置１１０へ映像コンテンツの再生開始命令（停止条件付）（第１再生開始命令）を送信する。この再生開始命令（停止条件付）は、映像供給装置１１０に対して、ＤＶＤ、ブルーレイなどのメディア（映像コンテンツが記録された記録媒体）を読み込んで、映像コンテンツの再生可能状態とし、かつ、映像コンテンツの再生直前で一時停止をさせるコマンドを含む命令である。メディアの読み込みには時間がかかるため、読み込み処理までを完了させたうえで、一時停止させることで、次の再生開始命令（第２再生開始命令）により、すぐに再生を可能とするものである。
【００５２】
再生開始命令（停止条件付）は、既定のＣＥＣコマンドの他に、画像投射装置１と映像供給装置１１０において、予めＣＥＣコマンドを定義しておくことで実現される。
【００５３】
主制御部起動手段３２は、主制御部２４を起動させる（電源オン状態とする）ための制御信号を出力する。
【００５４】
５Ｖ信号は、映像供給装置１１０の制御部１１２から出力され、画像出力端子１１１（ＨＤＭＩ出力端子）、５Ｖライン１２１、画像投射装置１の画像入力端子２１を介して、副制御部２８に入力される。副制御部２８にて、５Ｖ信号の入力検知を行っている。
【００５５】
ＣＥＣ信号は、画像出力端子１１１、ＣＥＣライン１２２、画像入力端子２１を介して、映像供給装置１１０の制御部１１２と副制御部２８との間で送受信される。例えば、副制御部２８から制御部１１２へステータス確認信号、電源オン信号、などが送信されたり、制御部１１２から副制御部２８へは、各信号への応答などが送信されたりする。
【００５６】
映像信号は、映像供給装置１１０の映像処理部１１３から出力され、画像出力端子１１１、映像信号ライン１２３（ＴＭＤＳチャネル）、画像入力端子２１を介して、映像処理部２２で受信され、後段の各部へ信号が送られる。
【００５７】
この画像投射システム１００では、映像供給装置１１０と画像投射装置１がＨＤＭＩケーブル１２０で接続されると、副制御部２８が、５Ｖ信号の入力を検知する。
【００５８】
ステータス確認手段３０は、ＣＥＣライン１２２を用いて、副制御部２８から映像供給装置１１０の制御部１１２へステータス確認信号を送信し、制御部１１２から副制御部２８にステータス確認信号への応答がなされる。
【００５９】
映像供給装置１１０のステータスが、映像信号の出力が可能な状態であった場合、再生開始命令送信手段３１は、ＣＥＣライン１２２を用いて、映像供給装置１１０の制御部１１２に対し、映像コンテンツの再生開始命令（停止条件付）を送信する。
【００６０】
また、再生開始命令送信手段３１による再生開始命令の送信ともに、ステータス確認手段３０は、主制御部２４に対して、ステータス確認信号を送信する。主制御部２４からの応答がない（＝スタンバイ状態）場合、主制御部起動手段３２は、主制御部２４を起動させるための制御信号を送信する。これにより、主制御部２４は、電源オン状態となり、ランプ１５を点灯して、入力された映像のスクリーン１３０への投影を開始する。
【００６１】
主制御部２４の撮像制御部４０は、ランプ１５を点灯させると同時に、撮像部２９を制御し、スクリーン１３０の投影画像１４０を撮像させる。撮像部２９が撮像した投影画像１４０の撮像データは、撮像制御部４０に送られる。
【００６２】
撮像制御部４０は、撮像データに基づいて投影画像１４０が、視聴できる程度の明るさになっているがどうかを判断する。ここでは、予め設定された閾値により、撮像データの色レベルを判定することで、投影画像１４０が、視聴できる程度の明るさになっているがどうかを判断しているが、投影画像１４０の明るさの判断方法は、特に限られるものではなく、新規または公知の手法を用いることができる。また、閾値は任意に設定可能としてもよい。
【００６３】
なお、撮像部２９を備え投影画像１４０を撮像することで、視聴可能な明るさになっているかどうかを判断することに替えて、例えば、ランプ１５の明るさや温度、電源オンやランプ点灯からの時間等を判断基準として、視聴可能な明るさになっているかどうかを判断してもよい。また、装置内の温度を判断基準とすることもできるが、環境温度によってばらつきが生じるため、他の方法によることがより好ましい。
【００６４】
そして、撮像制御部４０が、撮像データが所定の閾値を超える明るさとなっていると判断した場合、再生開始命令送信手段４１は、副制御部２８からＣＥＣライン１２２を介して、映像供給装置１１０へ映像コンテンツの再生開始命令（停止条件無の再生開始命令、（＝第２再生開始命令））を送信させる。これにより、再生直前で一時停止されていた映像コンテンツが再生される。
【００６５】
以上の制御により、ユーザは映像供給装置１１０と画像投射装置１をＨＤＭＩケーブル１２０で接続させるだけで、画像投射装置１からの投影画像１４０が視聴可能となったタイミングで、映像コンテンツを自動再生させることが可能となる。
【００６６】
図８は、本実施形態に係る画像投射システム１００が実行する自動再生処理の一例を示すシーケンスチャートである。
【００６７】
先ず、映像供給装置１１０と画像投射装置１とが、ＨＤＭＩケーブル１２０で接続される（Ｓ１０１）。なお、映像供給装置１１０の電源オンは、ＨＤＭＩケーブル１２０の接続の前であっても、接続後であってもよい。再生ボタン操作がされない場合（Ｓ１０２：Ｎ）は、待機状態となっている。
【００６８】
画像投射装置１は、ＨＤＭＩケーブル１２０が接続され（Ｓ２０１）、５Ｖ信号を検知するまでスタンバイ状態である（Ｓ２０２：Ｎ）。ＨＤＭＩケーブル１２０が接続され、５Ｖ信号を検知すると（Ｓ２０２：Ｙ）、画像投射装置１のステータスを確認する（Ｓ２０３）。この時、画像投射装置１のステータスを確認する前に、映像供給装置１１０のステータスを確認することも好ましい。この場合、映像供給装置１１０のステータスが、映像信号の出力が可能である場合に、以下の処理を実行する。
【００６９】
画像投射装置１がスタンバイ状態であれば（Ｓ２０３：Ｙ）、画像投射装置１を起動させて、ランプ１５を点灯させる（Ｓ２０４）。同時にＣＥＣライン１２２より映像供給装置１１０に対して、再生開始命令（停止条件付）を送信する（Ｓ２０５）。
【００７０】
この再生開始命令（停止条件付）を受け取った映像供給装置１１０は、再生動作をスタートさせて、メディアの読み取りを開始し、メディアの読み取り準備が完了し（Ｓ１０３：Ｙ）、映像コンテンツの再生状態に移行したところで一時停止を行う（Ｓ１０４）。
【００７１】
なお、画像投射装置１がスタンバイ状態でなく電源オン状態であれば（Ｓ２０３：Ｎ）、ＣＥＣライン１２２より映像供給装置１１０に対して、再生開始命令を送信する（Ｓ２０７）。この再生開始命令を受け取った映像供給装置１１０は、映像コンテンツを再生する（Ｓ１０５）。
【００７２】
画像投射装置１は、ランプ点灯（Ｓ２０４）および再生開始命令（停止条件付）の送信（Ｓ２０５）後、撮像部２９にて投影画像１４０を撮像し、投影画像１４０が、ユーザが画像を認識できる明るさレベルになっているかどうかを判断する（Ｓ２０６）。
【００７３】
規定の明るさレベルを超えた場合（Ｓ２０６：Ｙ）、ＣＥＣライン１２２より映像供給装置１１０に対して、再生開始命令を送信する（Ｓ２０７）。
【００７４】
この再生開始命令を受け取った映像供給装置１１０は、一時停止状態の映像コンテンツの再生を開始する（Ｓ１０５）。映像供給装置１１０から映像信号ライン１２３を介して、映像信号が送られ（Ｓ１０６）、画像投射装置１で映像が投影される（Ｓ２０８）。
【００７５】
以上説明した本実施形態に係る画像投射装置１によれば、ユーザは映像供給装置１１０と画像投射装置１をＨＤＭＩケーブル１２０で接続させるだけで、画像投射装置１から投射される投影画像１４０の明るさが視聴に適した状態となったタイミングで、映像供給装置１１０の映像コンテンツの自動再生をさせることが可能となる。
【００７６】
また、投影画像１４０が十分明るくなり、ユーザが快適に視聴できる状態に合わせて再生するように制御しているので、ユーザは快適に映像コンテンツを楽しむことができる。
【００７７】
なお、映像供給装置１１０と画像投射装置１が接続され、ユーザにより再生ボタン操作がされた場合は（Ｓ１０２：Ｙ）、映像コンテンツが再生される（Ｓ１０５）。この場合、画像投射装置１がスタンバイ状態や、スタンバイ状態からの起動中である場合、ユーザが映像コンテンツをクリアに視聴可能となるまでに、映像コンテンツの再生が進んでしまうが、ユーザにより再生ボタン操作がされた場合も、操作されない場合と同様に、再生開始命令（停止条件付）を受けて、画像投射装置１が十分な明るさで投影可能となるまで一時停止するようにしてもよい。ＨＤＭＩケーブル１２０を接続するまえに、再生ボタンを操作した場合も同様である。
【００７８】
以下、本発明に係る画像投射装置および画像投射システムの好ましい他の形態を説明する。
【００７９】
例えば、副制御部２８は、図７に示すように、電源オン信号出力手段３３を備えていることが好ましい。電源オン信号出力手段３３は、ＣＥＣライン１２２を介して、映像供給装置１１０へ電源オン信号を送信するものである。
【００８０】
映像供給装置１１０には、ＡＣ電源オン直後の初期化処理時やスタンバイ状態等であって、画像投射装置１に映像信号を出力可能な状態にない場合であっても、所定の電源（５Ｖ電圧）をシンク機に供給する機器も存在する。このため、このような映像供給装置１１０と、画像投射装置１が接続されている場合は、電源オン信号出力手段３３は、映像供給装置１１０から所定の電圧信号（５Ｖ信号）の入力を検知したときに、映像供給装置１１０から映像信号を出力可能な起動状態へ移行させるための信号（電源オン信号）を出力するものである。
【００８１】
これにより、確実に映像供給装置１１０から映像信号を出力可能な状態として、その後、映像供給装置１１０に対して、再生開始命令を送信することが可能となる。
【００８２】
尚、上述の実施形態は本発明の好適な実施の例ではあるがこれに限定されるものではなく、本発明の要旨を逸脱しない範囲において種々変形実施可能である。
【００８３】
例えば、上記実施形態では、画像投射装置１は、ＤＬＰ(Digital Light Processing)方式のプロジェクタを例に説明したが、これに限られるものではなく、ＬＣＤ（Liquid Crystal Display）方式、ＬＣＯＳ（Liquid  crystal  on  silicon）方式等であってもよい。また、光源としてランプを用いる例について説明したが、これに限られるものではなく、レーザ、ＬＥＤ等を用いてもよい。
【符号の説明】
【００８４】
１  画像投射装置
２  外装カバー
３  光学エンジン
３ａ  照明ユニット
３ｂ  投射ユニット
４  光源ユニット
５  カラーホイール
６  ライトトンネル
７  リレーレンズ
８  平面ミラー
９  凹面ミラー
１０  画像表示素子ユニット
１０ａ  ＤＭＤ素子
１１  吸気口
１２  排気口
１３  吸気ファン
１４  排気ファン
１５  ランプ
１６  ファン
２１  画像入力端子
２２  映像処理部
２３  スケール処理部
２４  主制御部
２５  メモリ
２６  操作部
２７  ドライブ回路
２８  副制御部
２９  撮像部
３０  ステータス確認手段
３１  再生開始命令送信手段
３２  主制御部起動手段
３３  電源オン信号出力手段
４０  撮像制御部
４１  再生開始命令送信手段
１００  画像投射システム
１１０  映像供給装置（外部機器）
１１１  画像出力端子
１１２  制御部
１１３  映像処理部
１２０  ケーブル（ＨＤＭＩケーブル）
１２１  ５Ｖライン
１２２  ＣＥＣライン
１２３  映像信号ライン
１３０  スクリーン（被投射面）
１４０  投影画像
【先行技術文献】
【特許文献】
【００８５】
【特許文献１】特開２０１４−４１３６４号公報
【図１】
2017090662.tif 000003
【図２】
2017090662.tif 000004
【図３】
2017090662.tif 000005
【図４】
2017090662.tif 000006
【図５】
2017090662.tif 000007
【図６】
2017090662.tif 000008
【図７】
2017090662.tif 000009
【図８】
2017090662.tif 000010